【手続補正書】
【提出日】平成20年5月22日(2008.5.22)
【手続補正１】
【補正対象書類名】明細書
【補正対象項目名】特許請求の範囲
【補正方法】変更
【補正の内容】
【特許請求の範囲】
【請求項１】  成分（Ａ）及び成分（Ｂ）を含む安定剤混合物であって、成分（Ａ）は  次式（Ａ−１）：
【化１】
2003535172.tif 000001
（式中、
Ａ1 は水素原子又は炭素原子数１ないし４のアルキル基を表わし、
Ａ2 は直接結合又は炭素原子数１ないし１０のアルキレン基を表わし、そして
ｎ1 は２ないし５０の数を表わす。）で表わされる化合物、
次式（Ａ−２−ａ）及び（Ａ−２−ｂ）：
【化２】
2003535172.tif 000002
【化３】
2003535172.tif 000003
（式中、
ｎ2 及びｎ2 * は２ないし５０の数を表わす。）で表わされる化合物の少なくとも一つ、
次式（Ａ−３）：
【化４】
2003535172.tif 000004
（式中、
Ａ3 及びＡ4 は互いに独立して水素原子又は炭素原子数１ないし８のアルキル基を表わし、又はＡ3 及びＡ4 は一緒になって炭素原子数２ないし１４のアルキレン基を形成し、そして
変数ｎ3 は互いに独立して１ないし５０の数を表わす。）で表わされる化合物、或いは
次式（Ａ−４）：
【化５】
2003535172.tif 000005
〔式中、
ｎ4 は２ないし５０の数を表わし、
Ａ5 は水素原子又は炭素原子数１ないし４のアルキル基を表わし、
基Ａ6 及びＡ7 は互いに独立して炭素原子数１ないし４のアルキル基又は次式（ａ−Ｉ）：
【化６】
2003535172.tif 000006
（式中、
Ａ8 は水素原子、炭素原子数１ないし８のアルキル基、Ｏ・、−ＯＨ、−ＣＨ2 ＣＮ、炭素原子数１ないし１８のアルコキシ基、炭素原子数５ないし１２のシクロアルコキシ基、炭素原子数３ないし６のアルケニル基、非置換又は１，２又は３個の炭素原子数１ないし４のアルキル基によりフェニル基が置換された炭素原子数７ないし９のフェニルアルキル基或いは炭素原子数１ないし８のアシル基を表わす。）で表わされる基を表わし、
但し、基Ａ7 の少なくとも５０％は前記式（ａ−Ｉ）で表わされる基である。〕で表わされる化合物であり、そして
成分（Ｂ）は次式（Ｉ）又は（II）：
【化７】
2003535172.tif 000007
で表わされる基を含む異なる２種の低分子量立体障害アミン化合物により形成される    が、
但し、前記成分（Ａ）及び（Ｂ）は異なる安定剤混合物。
【請求項２】  成分（Ｂ）の２種の異なる化合物が以下の類：
β−１）次式（Ｂ−１）：
【化８】
2003535172.tif 000008
〔式中、
Ｅ1 は水素原子、炭素原子数１ないし８のアルキル基、Ｏ・、−ＯＨ基、−ＣＨ2 ＣＮ基、炭素原子数１ないし１８のアルコキシ基、炭素原子数５ないし１２のシクロアルコキシ基、炭素原子数３ないし６のアルケニル基、非置換又は１，２若しくは３個の炭素原子数１ないし４のアルキル基によりフェニル基が置換された炭素原子数７ないし９のフェニルアルキル基或いは炭素原子数１ないし８のアシル基を表わし、
ｍ1 は１，２又は４を表わし、
ｍ1 が１を表わす場合、Ｅ2 は炭素原子数１ないし２５のアルキル基を表わし、
ｍ1 が２を表わす場合、Ｅ2 は炭素原子数１ないし１４のアルキレン基又は次式（ｂ−Ｉ）：
【化９】
2003535172.tif 000009
（式中、Ｅ3 は炭素原子数１ないし１０のアルキル基又は炭素原子数２ないし１０のアルケニル基を表わし、Ｅ4 は炭素原子数１ないし１０のアルキレン基を表わし、そしてＥ5 及びＥ6 は互いに独立して炭素原子数１ないし４のアルキル基、シクロヘキシル基又はメチルシクロヘキシル基を表わす。）で表わされる基を表わし、そして
ｍ1 が４を表わす場合、Ｅ2 は炭素原子数４ないし１０のアルカンテトライル基を表わす。〕で表わされる化合物、
β−２）次式（Ｂ−２）：
【化１０】
2003535172.tif 000010
〔式中、
基Ｅ7 の二つは−ＣＯＯ−（炭素原子数７ないし２０のアルキル）基を表わし、そして
基Ｅ7 の二つは次式（ｂ−II）：
【化１１】
2003535172.tif 000011
（式中、Ｅ8 はＥ1 の意味の一つを表わす。）で表わされる基を表わす。〕で表わされる化合物、
β−３）次式（Ｂ−３）：
【化１２】
2003535172.tif 000012
（式中、
Ｅ9 及びＥ10は一緒になって炭素原子数２ないし１４のアルキレン基を表わし、
Ｅ11は水素原子又は基−Ｚ1 −ＣＯＯ−Ｚ2 を表わし、
Ｚ1 は炭素原子数２ないし１４のアルキレン基を表わし、そして
Ｚ2 は炭素原子数１ないし２４のアルキル基を表わし、そして
Ｅ12はＥ1 の意味の一つを表わす。）で表わされる化合物、
β−４）次式（Ｂ−４）：
【化１３】
2003535172.tif 000013
（式中、
基Ｅ13は互いに独立してＥ1 の意味の一つを表わし、
基Ｅ14は互いに独立して水素原子又は炭素原子数１ないし１２のアルキル基を表わし、そして
Ｅ15は炭素原子数１ないし１０のアルキレン基又は炭素原子数３ないし１０のアルキリデン基を表わす。）で表わされる化合物、
β−５）次式（Ｂ−５）：
【化１４】
2003535172.tif 000014
（式中、
基Ｅ16は互いに独立してＥ1 の意味の一つを表わす。）で表わされる化合物、
β−６）次式（Ｂ−６）：
【化１５】
2003535172.tif 000015
（式中、
Ｅ17は炭素原子数１ないし２４のアルキル基を表わし、そして
Ｅ18はＥ1 の意味の一つを表わす。）で表わされる化合物、
β−７）次式（Ｂ−７）：
【化１６】
2003535172.tif 000016
〔式中、
Ｅ19，Ｅ20及びＥ21は互いに独立して次式（ｂ−III ）：
【化１７】
2003535172.tif 000017
（式中、
Ｅ22はＥ1 の意味の一つを表わす。）で表わされる基を表わす。〕で表わされる化合物、
β−８）次式（Ｂ−８）：
【化１８】
2003535172.tif 000018
（式中、
基Ｅ23は互いに独立してＥ1 の意味の一つを表わし、そして
Ｅ24は水素原子、炭素原子数１ないし１２のアルキル基又は炭素原子数１ないし１２のアルコキシキ基を表わす。）で表わされる化合物、
β−９）次式（Ｂ−９）：
【化１９】
2003535172.tif 000019
〔式中、
ｍ2 は１，２又は３を表わし、
Ｅ25はＥ1 の意味の一つを表わし、そして
ｍ2 が１を表わす場合、Ｅ26は次式：
【化２０】
2003535172.tif 000020
で表わされる基を表わし、
ｍ2 が２を表わす場合、Ｅ26は炭素原子数２ないし２２のアルキレン基を表わし、そして
ｍ2 が３を表わす場合、Ｅ26は次式（ｂ−IV）：
【化２１】
2003535172.tif 000021
（式中、
基Ｅ27は互いに独立して炭素原子数２ないし１２のアルキレン基を表わし、そして
基Ｅ28は互いに独立して炭素原子数１ないし１２のアルキル基又は炭素原子数５ないし１２のシクロアルキル基を表わす。）で表わされる基を表わす。〕で表わされる化合物、β−１０）次式（Ｂ−１０）：
【化２２】
2003535172.tif 000022
（式中、
基Ｅ29は互いに独立してＥ1 の意味の一つを表わし、そして
Ｅ30は炭素原子数２ないし２２のアルキレン基、炭素原子数５ないし７のシクロアルキレン基、炭素原子数１ないし４のアルキレンジ（炭素原子数５ないし７のシクロアルキレン基）、フェニレン基又はフェニレンジ（炭素原子数１ないし４のアルキレン基）を表わす。）で表わされる化合物、或いは
β−１１）次式（Ｂ−１１）：
【化２３】
2003535172.tif 000023
（式中、
Ｅ31は炭素原子数１ないし１０のアルキル基、炭素原子数５ないし１２のシクロアルキル基、炭素原子数１ないし４のアルキル基で置換された炭素原子数５ないし１２のシクロアルキル基、フェニル基又は炭素原子数１ないし１０のアルキル基で置換されたフェニル基を表わし、
Ｅ32は炭素原子数３ないし１０のアルキレン基を表わし、
Ｅ33はＥ1 の意味の一つを表わし、そして
ｍ3 は２ないし６の数を表わす。）で表わされる化合物
からなる群から選択される請求項１記載の安定剤混合物。  
【請求項３】  成分（Ａ）が次式（Ａ−１−ａ），（Ａ−２−ａ），（Ａ−２−ｂ），（Ａ−３−ａ）又は（Ａ−４−ａ）：
【化２４】
2003535172.tif 000024
（式中、ｎ1 は２ないし２０の数を表わす。）；
【化２５】
2003535172.tif 000025
【化２６】
2003535172.tif 000026
（式中、ｎ2 及びｎ2 * は２ないし２０の数を表わす。）；
【化２７】
2003535172.tif 000027
（式中、変数ｎ3 は互いに独立して１ないし２０の数を表わす。）；
【化２８】
2003535172.tif 000028
〔式中、
変数ｎ4 は２ないし２０の数を表わし、そして
基Ａ7 の少なくとも５０％は次式：
【化２９】
2003535172.tif 000029
（式中、Ａ8 は水素原子、炭素原子数１ないし８のアルキル基、Ｏ・、−ＯＨ、−ＣＨ2 ＣＮ、炭素原子数１ないし１８のアルコキシ基、炭素原子数５ないし１２のシクロアルコキシ基、炭素原子数３ないし６のアルケニル基、非置換又は１，２若しくは３個の炭素原子数１ないし４のアルキル基によりフェニル基が置換された炭素原子数７ないし９のフェ
ニルアルキル基或いは炭素原子数１ないし８のアシル基を表わす。）、そして
残りの基Ａ7 はエチル基で表わされる基である。〕；そして
成分（Ｂ）が式（Ｂ−１−ａ），（Ｂ−１−ｂ），（Ｂ−１−ｃ），（Ｂ−１−ｄ），（Ｂ−２−ａ），（Ｂ−３−ａ），（Ｂ−３−ｂ），（Ｂ−４−ａ），（Ｂ−４−ｂ），（Ｂ−５），（Ｂ−６−ａ），（Ｂ−７），（Ｂ−８−ａ），（Ｂ−９−ａ），（Ｂ−９−ｂ），（Ｂ−９−ｃ），（Ｂ−１０−ａ）及び（Ｂ−１１−ａ）：
【化３０】
2003535172.tif 000030
【化３１】
2003535172.tif 000031
（式中、Ｅ1 は水素原子、炭素原子数１ないし８のアルキル基、Ｏ・、−ＯＨ、−ＣＨ2 ＣＮ、炭素原子数１ないし１８のアルコキシ基、炭素原子数５ないし１２のシクロアルコキシ基、炭素原子数３ないし６のアルケニル基、非置換又は１，２若しくは３個の炭素原子数１ないし４のアルキル基によりフェニル基が置換された炭素原子数７ないし９のフェニルアルキル基或いは炭素原子数１ないし８のアシル基を表わす。）；
【化３２】
2003535172.tif 000032
（式中、基Ｅ7 の二つは−ＣＯＯ−Ｃ13Ｈ27基を表わし、そして二つの基Ｅ7 は次式：
【化３３】
2003535172.tif 000033
で表わされる基を表わし、そしてＥ8 はＥ1 の意味の一つを表わす。）；
【化３４】
2003535172.tif 000034
（式中、Ｅ12はＥ1 の意味の一つを表わす。）；
【化３５】
2003535172.tif 000035
（式中、Ｅ13はＥ1 の意味の一つを表わす。）；
【化３６】
2003535172.tif 000036
（式中、Ｅ16はＥ1 の意味の一つを表わす。）；
【化３７】
2003535172.tif 000037
（式中、Ｅ18はＥ1 の意味の一つを表わす。）；
【化３８】
2003535172.tif 000038
〔式中、Ｅ19，Ｅ20及びＥ21は互いに独立して次式（ｂ−III ）：
【化３９】
2003535172.tif 000039
（式中、Ｅ22はＥ1 の意味の一つを表わす。）で表わされる基を表わす。〕；
【化４０】
2003535172.tif 000040
（式中、Ｅ23はＥ1 の意味の一つを表わす。）；
【化４１】
2003535172.tif 000041
【化４２】
2003535172.tif 000042
（式中、Ｅ25はＥ1 の意味の一つを表わす。）；
【化４３】
2003535172.tif 000043
（式中、Ｅ29はＥ1 の意味の一つを表わす。）；
【化４４】
2003535172.tif 000044
（式中、ｍ3 は２ないし６の数を表わし、そしてＥ33はＥ1 の意味の一つを表わす。）  で表わされる化合物である請求項１記載の安定剤混合物。
【請求項４】  成分（Ａ）が式（Ａ−１−ａ）（式中、ｎ1 は２ないし２０の数を表わす。）で表わされる化合物であり、
成分（Ｂ）が式（Ｂ−１−ｂ）（式中、Ｅ1 は水素原子を表わす。）で表わされる化合物であり、そして
成分（Ｃ）が式（Ｂ−１−ｂ）（式中、Ｅ1 はオクチルオキシ基を表わす。）で表わされる化合物であるか、又は
成分（Ａ）が式（Ａ−１−ａ）（式中、ｎ1 は２ないし２０の数を表わす。）で表わされる化合物であり、
成分（Ｂ）が式（Ｂ−１−ｂ）（式中、Ｅ1 は水素原子を表わす。）で表わされる化合物であり、そして
成分（Ｃ）が式（Ｂ−３−ａ）（式中、Ｅ12は水素原子を表わす。）で表わされる化合物であるか、又は
成分（Ａ）が式（Ａ−１−ａ）（式中、ｎ1 は２ないし２０の数を表わす。）で表わされる化合物であり、
成分（Ｂ）が式（Ｂ−１−ｂ）（式中、Ｅ1 は水素原子を表わす。）で表わされる化合物であり、そして
成分（Ｃ）が式（Ｂ−１−ｄ）（式中、Ｅ1 は水素原子を表わす。）で表わされる化合物であるか、又は
成分（Ａ）が式（Ａ−１−ａ）（式中、ｎ1 は２ないし２０の数を表わす。）で表わされる化合物であり、
成分（Ｂ）が式（Ｂ−１−ｂ）（式中、Ｅ1 は水素原子を表わす。）で表わされる化合物であり、そして
成分（Ｃ）が式（Ｂ−１−ａ）（式中、Ｅ1 は水素原子を表わす。）で表わされる化合物であるか、又は
成分（Ａ）が式（Ａ−１−ａ）（式中、ｎ1 は２ないし２０の数を表わす。）で表わされる化合物であり、
成分（Ｂ）が式（Ｂ−１−ｂ）（式中、Ｅ1 はメチル基を表わす。）で表わされる化合
物であり、そして
成分（Ｃ）が式（Ｂ−１−ｄ）（式中、Ｅ1 はメチル基を表わす。）で表わされる化合物である請求項３記載の安定剤混合物。
【請求項５】  光，熱又は酸化により誘発される分解を受け易い有機材料と、請求項１記載の安定剤混合物とを含む組成物。
【請求項６】  有機材料に請求項１記載の安定剤混合物を配合することからなる、光，熱又は酸化により誘発される分解に対して有機材料を安定化する方法。